(57)【要約】【課題】経年劣化や損傷等により被覆樹脂の一部がはがれた場合において、外観の美観を損なうことを抑制できる養生シートを提供する。【解決手段】  建築工事又は土木工事を行う際に用いる養生シート１であって、経糸３ａと緯糸３ｂにより織った織物で構成される生機３と、生機３の外側を被覆する樹脂５を有し、経糸３ａ又は／及び緯糸３ｂは、その原料に色材を加えて、着色された状態で製造されたもの、または、糸を製造後に着色されたものであり、着色された経糸３ａ又は／及び緯糸３ｂの色は、樹脂５の色と色相が同じである養生シート。【選択図】  図３
0003231892.tif 000002
【実用新案登録請求の範囲】
【請求項１】
建築工事又は土木工事を行う際に用いる養生シートであって、
経糸と緯糸により織った織物で構成される生機と、該生機の外側を被覆する樹脂を有し、
経糸又は／及び緯糸は、その原料に色材を加えて、着色された状態で製造されたもの、または、糸を製造後に着色されたものであり、
着色された経糸又は／及び緯糸の色は、前記樹脂の色と色相が同じであることを特徴とする養生シート。
【請求項２】
前記樹脂の色は、黒色又は灰色又は青色又は緑色であることを特徴とする請求項１記載の養生シート。
【考案の詳細な説明】
【技術分野】
【０００１】
本考案は、養生シートに関するもので、より詳しくは、建築工事又は土木工事を行う際に、建築物等の外側に張設して、建築部材、工具、塵埃等が外部に飛散したり落下すること等を防止するために用いる養生シートである。
【背景技術】
【０００２】
従来、建築工事又は土木工事を行う際に用いる養生シートとして、ポリエステルで形成された経糸と緯糸により織った生機を形成し、この生機の表面を塩化ビニル樹脂で被覆して防炎性を持たせたものが知られている。
【０００３】
この生機の経糸と緯糸は、着色されることなくポリエステル本来の色を有し、樹脂を黒色等に着色することで、養生シートの外部から内部への視認性を向上させる等のことが行われている。
【考案の概要】
【考案が解決しようとする課題】
【０００４】
しかし、前記従来の養生シートは、経年劣化や損傷等により、被覆している樹脂の一部がはがれると、内部の生機の白色が見え、樹脂の黒色との色の対比で生機の色が目立ち、その部分が多くなると、外観の美観が悪くなるという問題がある。
【０００５】
そこで、本考案は、経年劣化や損傷等により被覆された樹脂の一部がはがれた場合において、上記従来の養生シートよりも、外観の美観を損なうことが抑制できる養生シートを提供することを目的とするものである。
【課題を解決するための手段】
【０００６】
前記の課題を解決するために、請求項１記載の考案は、建築工事又は土木工事を行う際に用いる養生シートであって、
経糸と緯糸により織った織物で構成される生機と、該生機の外側を被覆する樹脂を有し、
経糸又は／及び緯糸は、その原料に色材を加えて、着色された状態で製造されたもの、または、糸を製造後に着色されたものであり
着色された経糸又は／及び緯糸の色は、前記樹脂の色と色相が同じであることを特徴とするものである。
【０００７】
請求項２記載の考案は、請求項１記載の考案において、前記樹脂の色は、黒色又は灰色又は青色又は緑色であることを特徴とするものである。
【考案の効果】
【０００８】
本考案によれば、着色された経糸又は／及び緯糸の色は、前記樹脂の色と色相が同じとしたことにより、経年劣化や損傷等により被覆した樹脂の一部が剥離や損傷等した場合においても、従来の養生シートよりも、生機の色が目立たず、外観の美観を損なうことを抑制できる。
【図面の簡単な説明】
【０００９】
【図１】本考案の養生シートを建築現場に張設した状態の斜視図。
【図２】本考案の実施例に係る養生シートの正面図。
【図３】本考案の実施例に係る養生シートの一例の部分拡大図。
【図４】本考案の実施例に係る養生シートの他例の部分拡大図。
【図５】本考案の実施例に係る養生シートに用いる経糸又は緯糸の断面図。
【考案を実施するための形態】
【００１０】
本考案を実施するための形態を図に基づいて説明する。
【００１１】
本考案の養生シート１は、建築工事又は土木工事を行う際に、建物等の外側に張設して用い、建築部材、工具、塵埃等が外部に飛散したり落下したりすること等を防止するものであり、例えば、図１に示すように、建築現場の外部足場２の外側に張設して使用し、建築現場等からの建築部材、工具、塵埃等が外部に飛散したり落下することを防止するためのものである。
【００１２】
養生シート１は、図３，図４に示すように、ポリエステル繊維、ナイロン繊維等の合成繊維やガラス繊維等で構成された経糸３ａ及び緯糸３ｂを、平織り、ラッセル織り、モシャ織り、絡み織り等で形成した織物からなる生機３を有し、この生機３の外側（外面）を、自己消火性を有する塩化ビニル等の樹脂５により被覆したものである。本実施例では、ポリエステル繊維を、経糸３ａ及び緯糸３ｂとする平織りの生機３を、塩化ビニル等の樹脂５で被覆して養生シート１を構成した。
【００１３】
経糸３ａ又は／及び緯糸３ｂは、ポリエステル等の原料に色材を加えて、着色された状態で製造された繊維、または、繊維を形成後に着色したものを用いて構成されている。なお、経糸３ａ又は／及び緯糸３ｂは、撚りを掛けて形成しても、撚りを掛けずに形成してもよい。
【００１４】
着色された経糸３ａ又は／及び緯糸３ｂの色は、樹脂５の色と、色相は同じで、彩度、明度が異なるが、彩度、明度はできるだけ近いものとすることが好ましい。また、着色された経糸３ａ又は／及び緯糸３ｂの色と、樹脂５の色は、色相は同じであるとともに、黒色、灰色、または、青色、または、緑色であることが好ましい。
【００１５】
また、図３に示すように、緯糸３ｂの太さを、経糸３ａの太さよりも太くしてもよいし、図４に示すように、緯糸３ｂの太さと、経糸３ａの太さを略同じにしてもよい。
【００１６】
また、図３に示すように、隣接する経糸３ａと３ａ間の距離Ｌ１を、飛散防止したい塵埃等の大きさ（直径）よりも小さく設定するとともに、隣接する緯糸３ｂと３ｂ間の距離Ｌ２を、隣接する経糸３ａと３ａ間の距離Ｌ１よりも広く設定し、開口部６を長方形状に形成してもよいし、図４に示すように、隣接する経糸３ａと３ａ間の距離Ｌ１を、飛散防止したい塵埃等の大きさ（直径）よりも小さく設定するとともに、隣接する緯糸３ｂと３ｂ間の距離Ｌ２と略同じに設定し、開口部６を正方形状に形成してもよい。
【００１７】
隣接する経糸３ａと３ａ（緯糸３ｂと３ｂ）間の距離Ｌ１（Ｌ２）を、飛散防止したい塵埃等の大きさよりも小さく設定することにより、塵埃等が開口部６を通じて外部に落下、飛散することを防止できる。
【００１８】
なお、養生シート１の全体形状は、図２に示すものに限定されず、任意の形状とすることができる。
【００１９】
着色された経糸３ａ又は／及び緯糸３ｂの色は、樹脂５の色と色相を同じとすることにより、樹脂５の一部が剥離や損傷等し、経糸３ａ又は／及び緯糸３ｂが、外部から視認できるようになった場合、経糸３ａ又は／及び緯糸３ｂの色は、樹脂５の色に近いために、上記従来技術の養生シートと比較して、経糸３ａ又は／及び緯糸３ｂの色が目立たず、養生シート１の外観の美観を損なうこと抑制でき、養生シート１の使用回数を増やし、コストを低減できる。
【符号の説明】
【００２０】
１  養生シート
３  生機
３ａ  経糸
３ｂ  緯糸
５  樹脂
【図１】
0003231892.tif 000003
【図２】
0003231892.tif 000004
【図３】
0003231892.tif 000005
【図４】
0003231892.tif 000006
【図５】
0003231892.tif 000007